(57)【要約】【課題】  投稿データを時系列に並べつつ，かつ投稿データ同士の関係を把握する。【解決手段】  ユーザ端末１１０からの投稿データを受信するデータ受信手段１７２と；上記投稿データを電子掲示板に時系列に並べて表示するデータ表示手段１７４と；一の上記投稿データが他の上記投稿データに応答して投稿された投稿データであった場合，上記一の投稿データ（子投稿データ）の表示位置において，上記子投稿データの画像と，上記他の投稿データ（親投稿データ）の画像とを，繰り返し切り替える画像切替手段１７６とを備える投稿受信サーバ１２０が提供される。かかる構成により，投稿データの投稿があった順番を時系列に並べて表示しつつ，その投稿データ同士の関係，特に親投稿データと子投稿データとの関係を１つの画面で容易に把握できる。【選択図】    図３
2005309496.tif 000002
【特許請求の範囲】
【請求項１】
ユーザが利用するユーザ端末と，前記ユーザ端末に通信網を介して接続され，前記ユーザ端末からの投稿データを受信する投稿受信サーバとを利用して前記投稿データを掲示する投稿データ掲示システムであって：
前記ユーザ端末は，
ユーザに投稿データを作成させるデータ作成手段と；
前記作成された投稿データを送信するデータ送信手段と；
を備え，
前記投稿受信サーバは，
前記投稿データを受信するデータ受信手段と；
前記投稿データを電子掲示板に時系列に並べて表示するデータ表示手段と；
一の前記投稿データが他の前記投稿データに応答して投稿された投稿データであった場合，前記一の投稿データ（子投稿データ）の表示位置において，前記子投稿データの画像と，前記他の投稿データ（親投稿データ）の画像とを，繰り返し切り替える画像切替手段と；
を備えることを特徴とする，投稿データ掲示システム。
【請求項２】
前記画像切替手段は，特定の投稿データから親子関係を有する１または２以上の投稿データからなる投稿データ群の画像を同期して切り替えることを特徴とする，請求項１に記載の投稿データ掲示システム。
【請求項３】
前記画像切替手段は，前記親投稿データと前記子投稿データとが電子掲示板に表示すべき画像を互いに複数有する場合，同画像が電子掲示板に同時に表示されないように動作することを特徴とする，請求項２に記載の投稿データ掲示システム。
【請求項４】
ユーザ端末からの投稿データを受信するデータ受信手段と；
前記投稿データを電子掲示板に時系列に並べて表示するデータ表示手段と；
一の前記投稿データが他の前記投稿データに応答して投稿された投稿データであった場合，前記一の投稿データ（子投稿データ）の表示位置において，前記子投稿データの画像と，前記他の投稿データ（親投稿データ）の画像とを，繰り返し切り替える画像切替手段と；
を備えることを特徴とする，投稿受信サーバ。
【請求項５】
前記画像切替手段は，特定の投稿データから親子関係を有する１または２以上の投稿データからなる投稿データ群の画像を同期して切り替えることを特徴とする，請求項４に記載の受信サーバ。
【請求項６】
前記画像切替手段は，前記親投稿データと前記子投稿データとが電子掲示板に表示すべき画像を互いに複数有する場合，同画像が電子掲示板に同時に表示されないように動作することを特徴とする，請求項５に記載の投稿受信サーバ。
【請求項７】
前記親投稿データが複数の画像を有し，前記子投稿データは前記親投稿データの特定画像に対して応答している場合，
前記画像切替手段は，
前記親投稿データの表示位置に前記特定画像が表示されたとき，前記子投稿データの表示位置に前記子投稿データの画像を表示し，
前記親投稿データの表示位置に前記親投稿データの前記特定画像以外の画像が表示されたとき，前記子投稿データの表示位置に前記親投稿データの特定画像を表示することを特徴とする，請求項６に記載の投稿受信サーバ。
【請求項８】
前記画像切替手段は，前記投稿データ群毎にランダムなタイミングで切り替えることを特徴とする，請求項５に記載の投稿受信サーバ。
【請求項９】
前記投稿データ群に属する投稿データに同一の色もしくは模様からなる画像枠を前記投稿データの縁に表示する画像枠表示手段をさらに備えることを特徴とする，請求項５に記載の投稿受信サーバ。
【請求項１０】
前記画像切替手段は，前記電子掲示板に表示された全ての投稿データの画像を同期して切り替えることを特徴とする，請求項４に記載の投稿受信サーバ。
【請求項１１】
前記画像切替手段は，前記親投稿データと前記子投稿データとが電子掲示板に表示すべき画像を互いに複数有する場合，同画像が電子掲示板に同時に表示されないように動作することを特徴とする，請求項１０に記載の投稿受信サーバ。
【請求項１２】
前記親投稿データが複数の画像を有し，前記子投稿データは前記親投稿データの特定画像に対して応答している場合，
前記画像切替手段は，
前記親投稿データの表示位置に前記特定画像が表示されたとき，前記子投稿データの表示位置に前記子投稿データの画像を表示し，
前記親投稿データの表示位置に前記親投稿データの前記特定画像以外の画像が表示されたとき，前記子投稿データの表示位置に前記親投稿データの特定画像を表示することを特徴とする，請求項１１に記載の投稿受信サーバ。
【請求項１３】
ユーザが利用するユーザ端末と通信網を介して接続され，前記ユーザ端末からの投稿データを受信する投稿受信サーバに利用されるコンピュータプログラムであって：
コンピュータが，
前記ユーザ端末からの前記投稿データを受信するデータ受信手段と；
前記投稿データを電子掲示板に時系列に並べて表示するデータ表示手段と；
一の前記投稿データが他の前記投稿データに応答して投稿された投稿データであった場合，前記一の投稿データ（子投稿データ）の表示位置において，前記子投稿データの画像と，前記他の投稿データ（親投稿データ）の画像とを，繰り返し切り替える画像切替手段と；
して機能せしめることを特徴とする，コンピュータプログラム。
【請求項１４】
ユーザが利用するユーザ端末と，前記ユーザ端末に通信網を介して接続され，前記ユーザ端末からの投稿データを受信する投稿受信サーバとを利用して前記投稿データを電子掲示板に掲示する投稿データ掲示方法であって：
前記ユーザ端末が，
ユーザに投稿データを作成させるデータ作成工程と；
前記作成された投稿データを送信するデータ送信工程と；
前記投稿受信サーバが，
前記ユーザ端末からの前記投稿データを受信するデータ受信工程と；
前記投稿データを電子掲示板に時系列に並べて表示するデータ表示工程と；
一の前記投稿データが他の前記投稿データに応答して投稿された投稿データ（子投稿データ）であるかどうかを判断する応答判断工程と；
前記応答判断工程で子投稿データであると判断された場合，前記子投稿データの表示位置において，前記子投稿データの画像と，前記他の投稿データ（親投稿データ）の画像とを，繰り返し切り替える画像切替工程と；
前記応答判断工程で子投稿データではないと判断された場合，前記投稿データの表示位置において，前記投稿データが有する複数の画像を繰り返し切り替える通常切替工程と；
を含むことを特徴とする，投稿データ掲示方法。
【請求項１５】
前記画像切替工程は，さらに，
前記親投稿データが複数の画像を有し，かつ，前記電子掲示板に表示されているかどうかを判断し；
前記親投稿データが複数の画像を有し，かつ，前記電子掲示板に表示されている場合，前記親投稿データと子投稿データの同画像が電子掲示板に同時に表示されないように動作し；
前記親投稿データが複数の画像を有さず，または，前記電子掲示板に表示されていない場合，前記子投稿データの画像と前記親投稿データの画像とを，単に切り替えることを特徴とする，請求項１４に記載の投稿データ掲示方法。
【請求項１６】
前記画像切替工程は，特定の投稿データから親子関係を有する１または２以上の投稿データからなる投稿データ群の画像を同期して切り替えることを特徴とする，請求項１４に記載の投稿データ掲示方法。
【請求項１７】
前記画像切替工程は，前記投稿データ群毎にランダムなタイミングで切り替えることを特徴とする，請求項１６に記載の投稿データ掲示方法。
【発明の詳細な説明】
【技術分野】
【０００１】
本発明は，通信網を利用して構築，提供される，複数ユーザが参加可能なチャットや電子掲示板等の仮想会話を支援する投稿データ掲示システム，投稿受信サーバ，投稿データ掲示方法およびコンピュータプログラムに関する。
【背景技術】
【０００２】
近日では，インターネット等の通信網（コンピュータネットワーク）を，単なる情報公開の手段としてだけではなく，リアルタイムに行われる遠隔コミュニケーションの場として利用している。かかるコミュニケーションへの適用例として，電子掲示板（ＢＢＳ：Ｂｕｌｌｅｔｉｎ  Ｂｏａｒｄ  Ｓｙｓｔｅｍ）やチャット（Ｃｈａｔ）などを挙げることができる。
【０００３】
電子掲示板とは，ネットワーク上の特定のサーバにおいてユーザから投稿された投稿データを掲示情報として蓄積し，通信網経由でその情報を閲覧するシステムである。上記サーバ上で情報を一元管理でき，広域的に散在するユーザ間においてリアルタイムに情報を通知し合えるというメリットがある。
【０００４】
また，チャットとは，通信網上のユーザ間でリアルタイムに会話を行う「ｏｎ−ｌｉｎｅ−ｔａｌｋ」である。通常，複数のユーザが参加する形でチャットにログインし，同時に会話することができる。また，各人の発言が参加者全員のモニタ画面上に提示される。チャットを利用すると，遠隔地に散在するユーザ間でリアルタイムの会話若しくは議論を，インターネット上に構築された仮想世界において享受することができる。また，チャット・システムが提供する仮想世界にログインしさえすれば即座に会話への参加資格が随時得られる。さらに，各ユーザが実生活上で顔見知りである必要がないという気軽さも，チャットの大きな魅力である。
【０００５】
上記ユーザ間のコミュニケーションとしては，言葉としての文字データだけでなく，映像を用いて，互いの表情を伝え合うこともでき，また，話題となっている情報を視覚的に伝えることもできる。
【０００６】
このようなユーザのニーズに応えるべく，また，ユーザ間のコミュニケーションによる臨場感ある映像を伝えるべく，上記電子掲示板等に，複数回撮像されたユーザの実写画像を添付した投稿データを投稿し，ユーザ間の仮想会話を好適に支援する技術（例えば，特許文献１。）が知られている。
【０００７】
しかし，かかる画像を掲示する電子掲示板では，投稿データが時系列に並べられるが，投稿データ同士の関係，例えば親子関係であることを把握できない。ここで投稿データのメッセージやタイトルを同じにするなどの手段を講じて親子関係を表現することも考えられるが，短文では他の投稿データと区別がつかず，話題が変わった時に見づらくなる等の問題がある。
【０００８】
また，ツリー表示型の電子掲示板において，投稿データに対する応答投稿データは，投稿の元となった投稿データより段を下げて表示し，全体がスレッドとして表現され，その親子関係を容易に把握することができる。しかし，このようなツリー表示は，表示領域を大きくとる画像付き投稿データを表示するのに適切ではなく，さらに，投稿された順番など時間的な流れを把握できない。
【０００９】
このように，投稿データを時系列に並べることを優先すると投稿データ同士の関係が分からなくなり，投稿データ同士の関係を優先すると投稿データの投稿履歴が把握できなくなる。
【００１０】
【特許文献１】特開２００１−２４５２６９号公報
【発明の開示】
【発明が解決しようとする課題】
【００１１】
本発明は，従来の投稿データ掲示システムが有する上記問題点に鑑みてなされたものであり，本発明の目的は，投稿データを時系列に並べつつ，投稿データ同士の関係を１画面で容易に把握することが可能な，新規かつ改良された投稿データ掲示システム，投稿受信サーバ，投稿データ掲示方法およびコンピュータプログラムを提供することである。
【課題を解決するための手段】
【００１２】
上記課題を解決するために，本発明のある観点によれば，ユーザが利用するユーザ端末と，上記ユーザ端末に通信網を介して接続され，上記ユーザ端末からの投稿データを受信する投稿受信サーバとを利用して上記投稿データを掲示する投稿データ掲示システムであって：上記ユーザ端末は，ユーザに投稿データを作成させるデータ作成手段と；上記作成された投稿データを送信するデータ送信手段とを備え，上記投稿受信サーバは，上記投稿データを受信するデータ受信手段と；上記投稿データを電子掲示板に時系列に並べて表示するデータ表示手段と；一の上記投稿データが他の上記投稿データに応答して投稿された投稿データであった場合，上記一の投稿データ（子投稿データ）の表示位置において，上記子投稿データの画像と，上記他の投稿データ（親投稿データ）の画像とを，繰り返し切り替える画像切替手段とを備えることを特徴とする，投稿データ掲示システムが提供される。かかるユーザ端末や投稿受信サーバは，パーソナルコンピュータ，ＰＤＡ（Ｐｅｒｓｏｎａｌ  Ｄｉｇｉｔａｌ  Ａｓｓｉｓｔａｎｔ），携帯電話，テレビ会議システムを含むとしても良い。
【００１３】
本発明は，ユーザ端末によって作成された画像付きの投稿データを投稿受信サーバで掲示するシステムを提案している。上記データ表示手段により，投稿データを時系列に並べて表示することができ，上記画像切替手段により，その投稿データ同士の関係，特に投稿元である親投稿データとそれに応答した子投稿データとの関係を容易に把握することが可能となる。
【００１４】
上記課題を解決するために，本発明の別の観点によれば，ユーザ端末からの投稿データを受信するデータ受信手段と；上記投稿データを電子掲示板に時系列に並べて表示するデータ表示手段と；一の上記投稿データが他の上記投稿データに応答して投稿された投稿データであった場合，上記一の投稿データ（子投稿データ）の表示位置において，上記子投稿データの画像と，上記他の投稿データ（親投稿データ）の画像とを，繰り返し切り替える画像切替手段とを備えることを特徴とする，投稿受信サーバが提供される。かかる画像切替手段は，自動的に切替を繰り返すとしても良いし，他のトリガに応じて切替を繰り返すとしても良い。
【００１５】
ここでも，投稿データの投稿があった順番を時系列に並べて表示しつつ，その投稿データ同士の関係，特に親投稿データと子投稿データとの関係を１つの画面で容易に把握できる。
【００１６】
上記データ表示手段によると，親投稿データと子投稿データは，電子掲示板の１画面に同時に並置され，また，時系列に並べているが故，子投稿データが親投稿データより後に表示される。上記画像切替手段は，子投稿データの表示位置に親投稿データの画像と子投稿データの画像とを切り替えて表示することにより，かかる子投稿データが親投稿データと関係があることを示す。かかる電子掲示板を見た人は，その画像の切り替わりによって，かかる子投稿データがどの投稿データの子であるかを容易に把握することができる。
【００１７】
上記投稿データは，コメント等のメッセージを含むこともできる。このとき，親投稿データと子投稿データの画像切替に応じてメッセージも切り替わるとしても良く，また，画像切替に拘わらず子投稿データのメッセージを連続して表示するとしても良い。
【００１８】
また，上記画像切替手段は，特定の投稿データから親子関係を有する１または２以上の投稿データからなる投稿データ群（スレッド）の画像を同期して切り替えるとしても良い。かかる投稿データ群は，特定の投稿データ（最も祖先の投稿データ）を親投稿データとした場合の親投稿データに対する子投稿データ，また，さらにその子投稿データ（孫投稿データ）と連続する親子関係に属する投稿データの集合を示す。また，同期とはコンピュータによる複数の処理を時間的に一致させて行うことを言う。
【００１９】
かかる構成により，親子関係にある投稿データの画像が同期して切り替えられ，投稿データの親子関係を一層容易に把握することができる。ユーザは，上記投稿データ群の同期により親子関係を大きく捉え，切り替えられた画像の変化により細かい親子関係を知ることが可能である。
【００２０】
上記画像切替手段は，上記投稿データ群毎にランダムなタイミングで切り替えるとしても良い。かかる構成により，投稿データ群毎に画像の切替タイミングを変えることができ，特定の投稿データ群と他の投稿データ群とを一層容易に識別することが可能となる。
【００２１】
上記投稿データ群に属する投稿データに同一の色もしくは模様からなる画像枠を上記投稿データの縁に表示する画像枠表示手段をさらに備えるとしても良い。かかる構成により，投稿データ群に属する投稿データ同士の親子関係をさらに容易に把握することができる。この画像枠は，例えば，投稿データ群毎に色を変えて，赤，青，黄，緑といったように表示しても良いし，所定の色を一定時間毎にシフトして表示するとしても良い。
【００２２】
上記画像切替手段は，上記電子掲示板に表示された全ての投稿データの画像を同期して切り替えるとしても良い。上述のランダムな切り替えにより投稿データ群は識別し易いが，電子掲示板の表示が煩雑になる場合，上記のように全投稿データを同期して切り替えることが望ましい場合もある。
【００２３】
また，このような全投稿データの同期を一定時間後，例えば，１秒毎に行うこともできる。
【００２４】
上記画像切替手段は，上記親投稿データと上記子投稿データとが電子掲示板に表示すべき画像を互いに複数有する場合，同画像が電子掲示板に同時に表示されないように動作するとしても良い。
【００２５】
かかる構成により，親投稿データと子投稿データの画像が重複することなく表示され，親子関係を把握することが容易になる。
【００２６】
また，上記親投稿データが複数の画像を有し，上記子投稿データは上記親投稿データの特定画像に対して応答している場合，上記画像切替手段は，上記親投稿データの表示位置に上記特定画像が表示されたとき，上記子投稿データの表示位置に上記子投稿データの画像を表示し，上記親投稿データの表示位置に上記親投稿データの上記特定画像以外の画像が表示されたとき，上記子投稿データの表示位置に上記親投稿データの特定画像を表示するとしても良い。
【００２７】
例えば，親投稿データが相違する２枚の画像を有し，子投稿データがその一方の画像に対して応答した場合，親子関係を分かり易くするため，親投稿データが応答元の画像を表示している際には子投稿データは投稿した画像を表示し，親投稿データが他の画像を表示している際には子投稿データは親投稿データの応答元の画像を表示する。かかる親，子投稿データの画像が同期して切り替わると画像がシフトしているように見え，親子関係を容易に把握することができる。この子投稿データにさらに子投稿データがある場合，画像のシフトをより明確に理解することができる。
【００２８】
また，上記のように子投稿データに対してさらに応答した場合，応答元の子投稿データは２枚の画像，即ち，親投稿データの画像と子投稿データの画像が切り替わり表示されている。ユーザがその子投稿データに応答した場合，上記親投稿データの画像と子投稿データの画像のどちらが表示されていたとしても，子投稿データの画像が強制的に選択されるとしても良い。また，実際に応答時に選択した投稿データ画像を強制変更なしにそのまま選択するとしても良い。
【００２９】
上記課題を解決するために，本発明の別の観点によれば，上記投稿受信サーバとして機能するコンピュータプログラムも提供され，上記ユーザ端末と，上記投稿受信サーバとを利用して上記投稿データを電子掲示板に掲示する投稿データ掲示方法も提供される。
【発明の効果】
【００３０】
以上説明したように本発明によれば，投稿データの投稿があった順番を時系列に並べて表示すると共に，その投稿データ同士の関係，特に投稿元となった親投稿データとその子としての子投稿データとの関係を１つの画面で容易に把握することが可能となる。
【発明を実施するための最良の形態】
【００３１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３２】
ここでは，電子掲示板やチャット等のユーザ間における投稿データ掲示システムを説明する。このようなサービスは一般にネットワークサービス事業者によって行われ，かかる事業者の有するサーバで一元管理される。このようにして広域的に散在するユーザ間でリアルタイムに情報を通知し合うことができる。
【００３３】
（第１の実施形態：投稿データ掲示システム）
図１は，投稿データ掲示システムの概略を示したブロック図である。上記投稿データ掲示システムは，ユーザ端末１１０と，投稿受信サーバ１２０と，通信網１３０とを含んで構成される。
【００３４】
上記ユーザ端末１１０は，ユーザが利用する端末であり，パーソナルコンピュータ，ＰＤＡ（Ｐｅｒｓｏｎａｌ  Ｄｉｇｉｔａｌ  Ａｓｓｉｓｔａｎｔ），携帯電話，テレビ会議システム等を含む。ユーザは，かかるユーザ端末１１０において，電子掲示板を参照し，その電子掲示板に送信するメッセージを入力または画像を選択し，投稿データとして送信する。
【００３５】
上記投稿受信サーバ１２０は，ユーザ端末１１０と通信網１３０を介して接続され，ユーザ端末１１０からの投稿データを受信し，受信した投稿データを電子掲示板等に表示するための処理を行う。
【００３６】
上記通信網１３０は，例えば公衆回線網であるインターネットのネットワーク網を含み，電話回線等によりユーザ端末１１０，投稿受信サーバ１２０やその他の端末に接続する。
【００３７】
本実施形態では，ユーザが作成した画像付きの投稿データを投稿受信サーバ１２０に送信し（図１では矢印で表示），投稿受信サーバ１２０の電子掲示板に掲示するシステムを提案する。かかる投稿受信サーバ１２０では，ユーザ端末１１０から投稿があった順に投稿データを並べて表示する。
【００３８】
（ユーザ端末１１０）
図２は，ユーザ端末１１０の概略を示したブロック図である。上記ユーザ端末１１０は，ユーザ端末制御部１５０と，ユーザ端末操作手段１５２と，ユーザ端末表示手段１５４と，データ作成手段１５６と，データ送信手段１５８とを含んで構成される。
【００３９】
上記ユーザ端末制御部１５０は，中央処理装置（ＣＰＵ）を含む制御装置によりユーザ端末１１０を管理および制御する。
【００４０】
上記ユーザ端末操作手段１５２は，キーボード，マウス，タッチパネル，タッチペン等の入力手段を含み，投稿データの作成支援を行う。
【００４１】
上記ユーザ端末表示手段１５４は，モニタ，タッチパネル等の表示手段を含み，電子掲示板や作成される投稿データを表示し，入力メッセージや選択画像の確認にも利用される。
【００４２】
上記データ作成手段１５６は，ユーザ端末操作手段１５２やユーザ端末表示手段１５４も利用して，ユーザにメッセージや画像からなる投稿データを作成させる。
【００４３】
上記データ送信手段１５８は，データ作成手段１５６で作成された投稿データを，投稿受信サーバ１２０に通信網１３０を介して送信する。
【００４４】
（投稿受信サーバ１２０）
図３は，投稿受信サーバ１２０の概略を示したブロック図である。上記投稿受信サーバ１２０は，投稿受信制御部１７０と，データ受信手段１７２と，データ表示手段１７４と，画像切替手段１７６と，画像枠表示手段１７８とを含んで構成される。
【００４５】
上記投稿受信制御部１７０は，中央処理装置（ＣＰＵ）を含む制御装置により投稿受信サーバ１２０を管理および制御する。
【００４６】
上記データ受信手段１７２は，ユーザ端末１１０から送信される投稿データを通信網１３０を介して受信する。
【００４７】
上記データ表示手段１７４は，データ受信手段１７２で受信された投稿データを掲示情報として蓄積した後，当該投稿データの画像およびメッセージを電子掲示板に表示する。このとき，画像が添付されている投稿データは，投稿した順番が分かるように時系列に並べられる。即ち，最新の投稿データは，直前に受信された投稿データの横もしくは次の列の最前に並べられ，時系列の最後尾の位置であることを表す。
【００４８】
上記画像切替手段１７６は，受信した投稿データが，以前に受信している他の投稿データに応答したもの，例えば，他の投稿データの質問に対する回答投稿データ（子投稿データ）であった場合，当該子投稿データを表示すべき位置において，上記子投稿データの画像と，上記他の投稿データである親投稿データの画像とを繰り返し交互に切り替える。このようにして，当該子投稿データの画像が本来表示される位置で親投稿データの画像も参照され，その投稿データがどの投稿データに対する投稿であるかを示すことができる。
【００４９】
上記画像枠表示手段１７８は，特定の投稿データから親子関係を有する１または２以上の投稿データからなる投稿データ群（スレッド）に属する投稿データに同一の色，例えば，赤，青，黄，緑等，もしくは同一の模様，例えば縞模様等からなる画像枠を上記投稿データの縁に表示する。この画像枠によって投稿データ群の配置を全体的に把握することができる。
【００５０】
（画像切替手段１７６）
次に，本実施形態における投稿データ掲示システム，特に画像切替手段１７６について詳細に説明する。先ず，ユーザはユーザ端末１１０を利用して投稿データを作成する。その投稿データは，メッセージに画像を添付したものであることが望ましいが，それに限定されず，メッセージのみもしくは画像のみの投稿であっても構わない。また，添付される画像は，１枚または２枚以上とすることができる。
【００５１】
このようにしてユーザ端末１１０から投稿された投稿データのメッセージと画像は，投稿受信サーバ１２０のデータ表示手段１７４によって並置して表示される。
【００５２】
図４Ａ，Ｂ，Ｃは，データ表示手段１７４によって表示された個々の投稿データを示す外観図である。ここでは，投稿データの画像２００と文字や記号によるメッセージ２１０とが表示される。図４Ａでは，画像２００の枠外下にメッセージ２１０を表示した場合が示され，図４Ｂでは，画像２００の枠内であり，かつ画像が見難くならないような位置にメッセージが表示されている。図４Ｃでは，画像２００の横にメッセージを表示した場合が示されている。また，上記に示した画像２００とメッセージ２１０との関係に拘わらず，様々な配置で投稿データを表示することが可能である。
【００５３】
このような個々のメッセージの表示は投稿データ毎に割り当てられた表示領域において行われ，メッセージ２１０の文字数が多い時は，数列に分けて表示したり，スクロールバーを利用してスクロールさせつつ確認したりできる。また，投稿者のニックネーム，ペンネームなどの情報や，投稿日時などを併せて表示することも可能である。
【００５４】
図５は，このような個々の投稿データをデータ表示手段１７４によって時系列に並べた場合の表示例を示した図である。電子掲示板２５０には，１６枚の投稿データ２６０が並べられている。もちろんこの投稿データ２６０には画像２００やメッセージ２１０も含まれる。図に示した「１」，…，「１６」の番号は投稿データの掲載順（着信順）を示し，投稿された順に「１」，「２」，「３」と並べられる。このように投稿データを順次並置して「１６」まで並べ終わった後さらに新たな投稿データが受信されると，その投稿データをトリガに一番古い投稿データが画面から削除され，他の投稿データ２６０は前の番号の位置にシフトする。即ち，新たな投稿データ２６０は「１６」の枠に収まり，「１６」にあった投稿データは「１５」の位置に，「１５」にあった投稿データは「１４」にといった具合にシフトし，新たな投稿データ２６０が受信される前に「１」の位置に表示されていた投稿データ２６０は画面から削除される。
【００５５】
図６は，図５に示した投稿メッセージ２６０を縦に時系列に並べた場合の表示例を示した図である。電子掲示板２７０の画面には，スクロールバーでスライドされる複数の投稿データ２６０が縦に並べられている。かかる投稿データの時系列は図面下から「１」，「２」，「３」，…の順に並べられ，新しい投稿データ２６０が図面上に追加される構成となっている。ここで，新しい投稿データ２６０が追加されると，古い投稿データ２６０は画面から外れるが，スクロールバーを移動することによって確認することはできる。また，このような電子掲示板の構成は，上記図５や図６の場合に限らず，受信された投稿データの受信順を視覚的に把握できるものであればあらゆる実施の形態が考えられる。
【００５６】
ユーザは，過去に投稿されたものに依存しない新規の投稿データを投稿することもできるが，電子掲示板に表示されている，過去に投稿された投稿データを選んでそれに応答するメッセージや画像の作成を行い，投稿することもできる。ここで新規に投稿する場合の投稿データの添付画像はユーザ端末１１０内のハードディスクドライブに保存されている画像であっても良いし，通信網を介してダウンロードした画像でも良い。また，カメラ等で撮影した画像をファイルとして取り込んだものであっても良い。
【００５７】
ユーザが過去に投稿された投稿データに応答する場合の過去の投稿データを親投稿データ，当該ユーザの投稿データを子投稿データと定義する。上記子投稿データの画像は，上述したように新規な画像を添付することもできるが，親投稿データの画像を元にしてそれを加工したものを投稿することができる。例えば，親投稿データの画像のある部分を示して返信する場合，親投稿データの画像にマウス等によりマーキングし，その画像を子投稿データとして返信する。ここで親投稿データが複数の画像を有する場合は，そのうちの一枚の画像を選択してそれに応答することとなる。
【００５８】
このような親投稿データの画像の加工には，マウスやタッチペンを用いて画像にコメントを書き込むことも含まれる。
【００５９】
図７は，他の投稿データに応答した場合の投稿例を示した図である。例えば，図５における電子掲示板２５０で「６」の位置にある親投稿データ３１０に応答する場合を考える。親投稿データ３１０は画像３１２とメッセージ３１４とを有す。他のユーザは，その画像３１２を加工して新規の投稿データ，即ち子投稿データ３２０を投稿する。ここでは，親投稿データ３１０の画像３１２に書込を行い，さらにメッセージ３２４として「隣にいる人は誰？」をコメントしている。かかる子投稿データ３２０が投稿受信サーバ１２０に投稿されると，投稿データが時系列に並べられる構成により，親投稿データ３１０より後ろの表示位置，例えば，図５の電子掲示板２５０でいうところの「７」以降の表示位置に表示される。
【００６０】
このとき，子投稿データ３２０の表示位置においては，投稿受信サーバ１２０の画像切替手段１７６によって，親投稿データ３１０の画像３１２と子投稿データ３２０の画像３２２が交互に表示される。このような画像の切替により，子投稿データ３２０は時系列の表示に従いつつ親投稿データ３１０への応答であることを表現できる。このとき子投稿データ３２０のメッセージの表示位置には，子投稿データ３２０のメッセージ３２４のみが連続して表示されるとしても良い。また，親投稿データ３１０と子投稿データ３２０の画像切替に応じてメッセージも切り替わるとしても良い。
【００６１】
また，子投稿データ３２０の画像３２２の画面右上に重ねて表示される応答マーク３３０は，当該投稿データ３２０が他の投稿データに応答したものであることを示している。かかる応答マーク３３０により，その投稿データがオリジナルの投稿データで無いことを把握することができる。また，本実施形態によれば，応答マーク３３０が添付される投稿データの切り替わる複数の画像の内，何れかが応答元である親投稿データの画像であることが推測できる。
【００６２】
図８は，子投稿データ３２０の画像の切替を具体的に示した説明図である。例えば，親投稿データ３１０が図５の電子掲示板２５０の「６」の位置にあったとして，それに応じた子投稿データ３２０が電子掲示板２５０の「７」の位置に表示されたとする。図８では，簡単のため，この「６」「７」の位置を抜粋して表示している。
【００６３】
図８の上側には親投稿データ３１０と子投稿データ３２０が並んで表示され，それぞれの画像３１２，３２２とメッセージ３１４，３２４とが表示されている。一定時間が経過すると，図８下側に示したように子投稿データ３２０の画像３２２が親投稿データ３１０の画像３１２に切り替わる。このとき親投稿データ３１０と子投稿データ３２０との画像が重なるので，子投稿データ３２０と親投稿データ３１０との関係が把握できる。
【００６４】
上記の実施形態によると，親投稿データ３１０の画像３１２は切り替わっていないと捉えることができる。しかし，実質的には，何かしらのタイミングに同期して同じ画像を切り替えており，併せて子投稿データ３１０の画像も切り替えていると考えることもできる。この場合，親投稿データ３１０の画像３１２と子投稿データ３２０の画像３２２が同期して切り替わっているとすることができる。
【００６５】
また，親投稿データ３１０が複数の画像，例えば２枚の画像を有する場合，親投稿データ３１０の表示位置において上記２枚の画像が切り替わり，それに同期して子投稿データ３２０の画像も切り替わる。
【００６６】
図９は，親投稿データ３１０と子投稿データ３２０の画像の切替を示した説明図である。ここでは，図８同様の電子掲示板での表示を示しているが，親投稿データ３１０は，画像３１２と画像３５０の２枚の画像を有し，この２枚の画像も子投稿データ３２０の画像同様に切り替わる。このような画像の切り替わる流れとしては，親投稿データ３１０の表示位置に子投稿データ３２０の応答元の画像３１２が表示されたとき，子投稿データ３２０の表示位置に子投稿データ３２０の画像３２２を表示し，親投稿データ３１０の表示位置に親投稿データ３１０の他の画像３５０が表示されたとき，子投稿データ３２０の表示位置に子投稿データ３２０の応答元の画像３１２を表示している。このような構成により，上記同様，子投稿データ３２０と親投稿データ３１０との関係を容易に把握することが可能となる。
【００６７】
上記の画像切替手段１７６による画像切替を実施するために，子投稿データ３２０には，親投稿データ３１０の情報や，親投稿データ３１０が複数の画像を有している場合の選択した画像の情報が関連づけられることが望ましい。この親投稿データ３１０との関連づけは，子投稿データ３２０になされるとしても良いし，投稿受信サーバ１２０で記憶されるとしても良い。
【００６８】
また，画像切替手段１７６は，投稿データ群の画像を同期して切り替えるとしても良く，さらにその画像切替タイミングを投稿データ群毎にランダムとすることもできる。これは，投稿データ群に含まれる投稿データがランダムなタイミングで一度に切り替わることを示す。上記のランダムな切替により，投稿データ群毎の画像の切替タイミングが相違し，特定の投稿データ群と他の投稿データ群とを容易に識別することが可能となる。
【００６９】
また，画像切替手段１７６は，電子掲示板に表示された全ての投稿データの画像を同期して切り替えるとしても良い。上述のランダムな切り替えにより投稿データ群は識別し易いが，電子掲示板の表示が煩雑になる場合，上記のように全投稿データを同期して切り替えることが望ましい場合もある。
【００７０】
また，このような全投稿データの同期を一定時間後，例えば，１秒，２秒といった，見難くならない程度の時間毎に行うこともできる。
【００７１】
次に，親子関係を有する複数の投稿データの画像の変化を時間の経過に応じた形で説明する。
【００７２】
図１０は，画像の切替を概略的に示した画像状態遷移を表す説明図である。ここでは，画像切替手段１７６による画像切替のイメージを抽象化して説明する。図１０では，親投稿データ４１０と，それに応じた子投稿データ４１２と，さらにその子投稿データに応じた孫投稿データ４１４とがあり，各々の画像が同一のタイミングで切り替わる。親投稿データ４１０は，画像「Ａ」，「Ｂ」を，子投稿データ４１２は，「Ａ」に応じた「Ａ’」を，孫投稿データ４１４は，「Ａ’」に応じた「Ａ”」を送信している。以下では，簡単のため画像としての「Ａ」を単に「Ａ」と記載し，他の画像も同様とする。また，図１０では，横方向に時間軸が表示され，縦に，特定の時間に同時に表示される画面が表される。
【００７３】
電子掲示板のある特定の時間４２０において，親投稿データ４１０には「Ａ」が，子投稿データ４１２には「Ａ’」が，孫投稿データ４１４には「Ａ”」が表示され，切替タイミングで切り替わった後の特定の時間４２２において，親投稿データ４１０には「Ｂ」が，子投稿データ４１２には「Ａ」が，孫投稿データ４１４には「Ａ’」が表示される。その後は，上記２つの表示パターンを繰り返す。かかる電子掲示板を見た人は，その画像の切り替わりによって，かかる子投稿データがどの投稿データの子であるかを容易に把握することができる。また，この画像の変化を３つの画像毎に見比べた場合，例えば，「Ａ」，「Ａ’」，「Ａ”」の並びから「Ｂ」，「Ａ」，「Ａ’」と変化し，「Ａ」と「Ａ’」がシフトしているように見ることができる。ユーザは，このシフトによりさらに親子関係を容易に把握することができる。
【００７４】
ここで，孫投稿データ４１４が子投稿データ４１２の「Ａ’」ではなく「Ａ」に応じた場合，即ち，子投稿データ４１２の表示位置で切り替わる「Ａ」と「Ａ’」の内，「Ａ」を選択して応答した場合，かかる投稿データの画像は新たな「Ａ’」となり，親投稿データ４１０の「Ａ」→「Ｂ」の推移に対して，子投稿データ４１２が「Ａ’」→「Ａ」，孫投稿データ（正確には子投稿データになる。）も「Ａ’」→「Ａ」の順で切り替わることになる。
【００７５】
また，上記のような状況で，孫投稿データ４１４が子投稿データ４１２の「Ａ’」ではなく「Ａ」に応じた場合でも，その選択した画像「Ａ」に拘わらず強制的に「Ａ’」に応じたこととする処理を行うことも可能である。
【００７６】
図１１は，画像の切替の他の一例を概略的に示した説明図である。ここでは，図１０同様，親投稿データ４１０と，それに応じた子投稿データ４１２と，さらにその子投稿データに応じた孫投稿データ４１４とがあり，各々の画像が切り替わる。図１０の場合と違い，親投稿データ４１０は，画像「Ａ」，「Ｂ」，「Ｃ」の３つの画像を有している。その他，子投稿データ４１２は「Ａ」に応じた「Ａ’」を，孫投稿データ４１４は「Ａ’」に応じた「Ａ”」を送信している。
【００７７】
電子掲示板のある特定の時間４５０において，親投稿データ４１０には「Ａ」が，子投稿データ４１２には「Ａ’」が，孫投稿データ４１４には「Ａ”」が表示され，切替タイミングで切り替わった後の特定の時間４５２において，親投稿データ４１０には「Ｂ」が，子投稿データ４１２には「Ａ」が，孫投稿データ４１４には「Ａ’」が表示される。次の切替後の特定の時間４５４では，親投稿データ４１０には「Ｃ」が，子投稿データ４１２には「Ａ’」が，孫投稿データ４１４には「Ａ”」が表示される。このように，親投稿データ４１０が３以上の画像を有していたとしても，画像切替手段１７６は，同画像が電子掲示板に同時に表示されないように動作することができる。
【００７８】
また，各投稿データで表示すべき画像の数が相違する場合，例えば，上記において親投稿データ４１０が３枚の画像を有するのに対して子投稿データ４１２が２枚の画像を切替表示するような場合，同画像が同時に表示されないようにすることも可能であるが，互いの画像数の最小公倍数をとり，それに従って画像を切り替えるとすることもできる。
【００７９】
例えば，親投稿データが「Ａ」，「Ｂ」，「Ｃ」，「Ｄ」の４画像を有し，子投稿データが上記「Ａ」に応じた「Ａ’」の画像を投稿したとすると，両者の画像数の最小公倍数は４である。このようにして，親投稿データの画像は，「Ａ」→「Ｂ」→「Ｃ」→「Ｄ」と推移し，子投稿データの画像は，「Ａ’」→「Ａ」→「Ａ’」→「Ａ」と推移する。ここでも親投稿データと子投稿データとの画像「Ａ」が同時に表示されることなく両投稿データの関係が顕著に示される。
【００８０】
次に，ユーザ間で複雑な多くの投稿のやりとりが行われる場合を考える。この投稿データのやりとりの一例を以下に示す。ここでは，親投稿データに対して，２つの子投稿データがぶら下がり，一方の子投稿データにはさらに孫投稿データがぶら下がっている。
【００８１】
この投稿データのやりとりを上述のような記号で表すと，親投稿データが「Ａ」，「Ｂ」の２画像を有し，子投稿データが「Ａ」に対して「Ａ’」を投稿，孫投稿データが「Ａ’」に対して「Ａ”」を投稿し，さらに別途の子投稿データとして親投稿データの画像「Ａ」に対して別の「Ａ’」が投稿される。
【００８２】
図１２Ａは，上記の状態を既存のツリー表示型掲示板で表した図である。かかるツリー表示型掲示板では，投稿データ同士の関係は把握できるがその投稿のあった時系列は認識できない。ここでは，親投稿データ５１０としての「ニュービルディング」に対して，子投稿データ５１２「高さは？」，さらにそれに対する応答である孫投稿データ５１４「３５階，１５０ｍです」があり，別途，親投稿データ５１０「ニュービルディング」に対して子投稿データ５１６「最寄りの駅は？」がある。ツリー表示型掲示板の表示方法は，この他にも様々なものが存在する。
【００８３】
上記投稿データはそれぞれ画像を有しており，その画像の関係は図１２Ｂに簡単に示される。図１２Ｂにおいて，親投稿データ５１０に対して応答しようとしているユーザは，親投稿データ５１０の有する２つの画像５２０，５２２の内，１つの画像５２０を選択し，この画像５２０に両端矢印を書き込んだ画像５２４を子投稿データ５１２として投稿する。他のユーザは，さらにその子投稿データ５１２の画像５２４に対して書き込みを行い，その書き込んだ画像５２６を孫投稿データ５１４として投稿する。また，上記の流れとは別に，例えば他のユーザが，親投稿データ５１０の画像５２０に対して，画像５２０のビルを丸で囲んだ画像５２８を子投稿データ５１６として投稿する。このような複雑な投稿データのやりとりを本実施形態に置き換えて説明する。
【００８４】
図１３は，本実施形態による投稿データ掲示システムの画像切替を表す図である。ここでは図１２Ｂに示した４つの投稿データを簡単のため１列に並べて表示している。また，図１３においては，上記４つの投稿データをユーザから投稿された順に左から右に並べている。このとき，画像切替手段１７６は，投稿データ５１０，５１２，５１４，５１６の画像を，図１３の上下に表されているように切り替える。ここで子投稿データの表示位置では，元の投稿データの画像も切替により参照される。また，このような子投稿データには応答マーク３３０も付される。
【００８５】
図１３において，投稿データ５１０，５１２，５１４のみに着目すると，画像５２０と画像５１４とが上下に示された画像の切替により，右方向にシフトしているように見え，より一層投稿データの親子関係が明確になる。
【００８６】
（画像枠表示手段１７８）
また，画像枠表示手段１７８により，特定の親投稿データ（最も祖先にあたる投稿データ）から連なる投稿データ群に属する投稿データ同士の親子関係をさらに容易に把握することができる。この画像枠は，例えば，投稿データ群毎に色を変えて，赤，青，黄，緑といったように表示しても良いし，赤色一色を一定時間毎にシフトして表示するとしても良い。
【００８７】
図１４は，図５に示す電子掲示板２５０に画像枠５５０を加えた場合の表示例を示した図である。ここでは，表示位置「６」の親投稿データに対して「７」に子投稿データが，「８」に孫投稿データが投稿され，少し時間を経た後，「６」に対して子投稿データ「１４」が投稿されている。以上の投稿データは特定の親投稿データに関連した投稿データであるから上述した投稿データ群を構成する。かかる図１４において電子掲示板２５０の範囲内に表示された上記のような特定の投稿データ群を含む複数の投稿データ群では，一定時間毎に画像枠５５０が移動し，目的とする投稿データに関連した投稿データ群は，その画像枠５５０がその投稿データを覆ったとき分かる。
【００８８】
このような画像枠５５０は，一定時間またはランダムに与えられる時間毎に投稿データ群をシフトするとしても良いし，ユーザによってマウスカーソルやタッチペンで投稿データが指定されている間，指定された投稿データを含む投稿データ群を覆うとしても良い。
【００８９】
このとき，投稿データ群の最も祖先となる親投稿データが，投稿が進むに連れて電子掲示板２５０の外に押し出されたとしても，その投稿データ群の関係を保存し，投稿データ群毎に画像枠５５０で表示するとしても良い。また，上記同様に祖先である親投稿データが押し出された場合，電子掲示板２５０中に存在する投稿データ群の子投稿データから新たな投稿データ群を生成（分離）し，その生成された新投稿データ群毎に画像枠５５０を表示するとしても良い。
【００９０】
また，上記のようなユーザ端末１１０や投稿受信サーバ１２０として機能せしめるコンピュータプログラムも提供される。
【００９１】
（第２の実施形態：投稿データ掲示方法）
次に，ユーザ端末１１０と，投稿受信サーバ１２０とを利用して投稿データを電子掲示板に掲示する投稿データ掲示方法について説明する。
【００９２】
図１５は，投稿データ掲示方法の工程の流れを示したフローチャート図である。上記の投稿データ掲示方法では，先ず，ユーザ端末１１０が，ユーザにメッセージや画像からなる投稿データを作成させ（Ｓ６００），作成された投稿データを通信網１３０を介して投稿受信サーバ１２０に送信する（Ｓ６０２）。
【００９３】
次に，投稿受信サーバ１２０が，ユーザ端末１１０からの投稿データを受信し（Ｓ６０４），この投稿データを掲示情報として蓄積した後，当該投稿データの画像およびメッセージを電子掲示板に時系列に並べて表示する（Ｓ６０６）。
【００９４】
その後，投稿受信サーバ１２０が，一の上記投稿データが他の上記投稿データに応答して投稿された投稿データ（子投稿データ）であるかどうかを判断し（Ｓ６０８），応答判断工程（Ｓ６０８）で子投稿データであると判断された場合，子投稿データの表示位置において，子投稿データの画像と，他の投稿データ（親投稿データ）の画像とを，繰り返し切り替える（Ｓ６１０）。
【００９５】
また，応答判断工程（Ｓ６０８）で子投稿データではないと判断された場合，投稿データの表示位置において，投稿データが有する複数の画像を繰り返し切り替える（Ｓ６１２）。
【００９６】
このような投稿データ掲示方法により，投稿データの投稿があった順番を時系列に並べて表示しつつ，その投稿データ同士の関係，特に親投稿データと子投稿データとの関係を１つの画面で容易に把握できる。上記応答判断工程（Ｓ６０８），画像切替工程（Ｓ６１０），通常切替工程（Ｓ６１２）とを以下で詳細に説明する。実際の投稿データ掲示方法においては，かかる応答判断工程（Ｓ６０８），画像切替工程（Ｓ６１０），通常切替工程（Ｓ６１２）は，投稿受信サーバ１２０に設けられた割り込み生成手段の割り込みにより処理される。
【００９７】
図１６は，応答判断工程（Ｓ６０８），画像切替工程（Ｓ６１０），通常切替工程（Ｓ６１２）の詳細な流れを示したフローチャート図である。
【００９８】
ここでは，投稿受信サーバ１２０内で一定時間（例えば，１ｍｓｅｃ）毎に割り込みが発生し（Ｓ６４０），この割り込みを受けて，電子掲示板に表示される全ての投稿データのうち，一番古い投稿データが抽出されて以下の処理が行われる。先ず，その抽出された投稿データに関して，一の上記投稿データが他の上記投稿データに応答して投稿された投稿データ（子投稿データ）であるかどうかが判断される（Ｓ６５０）。
【００９９】
この応答判断工程（Ｓ６５０）で子投稿データではないと判断された場合，画像の切替タイミングであるかどうかが判断され（Ｓ６５２），切替タイミングであれば，投稿データの表示位置において，投稿データが有する複数の画像を，今表示している画像から新たな画像に単に切り替える（Ｓ６５４）。
【０１００】
ここで，上記切替判断工程（Ｓ６５２）は，例えば，投稿受信サーバ１２０の機能を利用して乱数を発生させ，その乱数が所定の閾値以上，または以下であれば切替タイミングを発生することによって行われる。詳細に説明すると，先ず，０から１までの実数による乱数を発生させ，所定の閾値である０．９９９以上であった場合に切替タイミングのフラグを立てる。割り込みは１ｍｓｅｃ毎に発生するため，平均すると１秒に一回切替タイミングが生じることになる。かかる割り込みタイミングや閾値を調整することによって画像の切替タイミングを変更することができる。
【０１０１】
また，応答判断工程（Ｓ６５０）で子投稿データであると判断された場合，さらに親投稿データが複数の画像を有し，かつ，上記電子掲示板に表示されているかどうかが判断される（Ｓ６５６）。
【０１０２】
ここで，親投稿データが複数の画像を有さず，または，電子掲示板に表示されていない場合，画像の切替タイミングであるかどうかが判断され（Ｓ６５８），切替タイミングであれば，子投稿データの画像と親投稿データの画像とを，単に切り替える（Ｓ６６０）。このときの切替判断工程（Ｓ６５８）は，上述の切替判断工程（Ｓ６５２）と機能が同等であるので説明を省略する。
【０１０３】
また親投稿データが複数の画像を有し，かつ，上記電子掲示板に表示されている場合，親投稿データと子投稿データの同画像が電子掲示板に同時に表示されないように画像が切り替えられる（Ｓ６６２）。
【０１０４】
詳細に説明すると，親投稿データが複数の画像を有し，子投稿データは親投稿データの特定画像に対して応答している場合において，親投稿データの表示位置の画像が上記特定画像に切り替わった場合，子投稿データの表示位置には子投稿データの画像を表示し，親投稿データの表示位置の画像が親投稿データの上記特定画像以外の画像に切り替わった場合，子投稿データの表示位置には親投稿データの特定画像を表示する。
【０１０５】
上記の工程が終了すると全ての投稿データが処理されたかどうか判断され（Ｓ６６４），処理されてない場合，次に古い投稿データを抽出して，応答判断工程（Ｓ６５０）からの工程を再び行う。
【０１０６】
上記で全ての投稿データが処理されると投稿受信サーバ１２０は，再び割り込み待ち状態に戻る（Ｓ６７０）。
【０１０７】
かかる画像の切替において，投稿データ群の画像は同期して切り替わるとしても良いし，さらに投稿データ群毎にランダムなタイミングで切り替わるとしても良い。
【０１０８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０９】
例えば，上記の実施形態において，画像切替手段は，親投稿データと子投稿データとの画像を，同画像が電子掲示板に同時に表示しないように動作しているが，あえて同画像が同時に表示されるような機能を持たせるとしても良い。
【０１１０】
また，上記では，親投稿データと子投稿データとの画像の切替を同時に行っているが，かかる場合に限られず，親投稿データの表示位置に１つの画像を表示している間に，子投稿データの表示位置に親投稿データの画像と子投稿データの画像とを切り替えて，非同期に表示することもできる。
【産業上の利用可能性】
【０１１１】
本発明は，投稿データ掲示システム，投稿受信サーバ，投稿データ掲示方法およびコンピュータプログラムに適用可能である。
【図面の簡単な説明】
【０１１２】
【図１】投稿データ掲示システムの概略を示したブロック図である。
【図２】ユーザ端末の概略を示したブロック図である。
【図３】投稿受信サーバの概略を示したブロック図である。
【図４Ａ】データ表示手段によって表示された個々の投稿データを示す外観図である。
【図４Ｂ】データ表示手段によって表示された個々の投稿データを示す外観図である。
【図４Ｃ】データ表示手段によって表示された個々の投稿データを示す外観図である。
【図５】電子掲示板の表示例を示した図である。
【図６】電子掲示板の他の表示例を示した図である。
【図７】他の投稿データに応答した場合の投稿例を示した図である。
【図８】子投稿データの画像の切替を具体的に示した説明図である。
【図９】親投稿データと子投稿データの画像の切替を示した説明図である。
【図１０】画像の切替を概略的に示した画像状態遷移を表す説明図である。
【図１１】画像の切替の他の一例を概略的に示した説明図である。
【図１２Ａ】ツリー表示型掲示板の表示例を示した図である。
【図１２Ｂ】図１２Ａにおける投稿データの画像の関係を示した図である。
【図１３】本実施形態による投稿データ掲示システムの画像切替を表す図である。
【図１４】電子掲示板に画像枠を加えた場合の表示例を示した図である。
【図１５】投稿データ掲示方法の工程の流れを示したフローチャート図である。
【図１６】応答判断工程，画像切替工程，通常切替工程の詳細な流れを示したフローチャート図である。
【符号の説明】
【０１１３】
１１０  ユーザ端末
１２０  投稿受信サーバ
１３０  通信網
１５６  データ作成手段
１５８  データ送信手段
１７２  データ受信手段
１７４  データ表示手段
１７６  画像切替手段
１７８  画像枠表示手段
Ｓ６００  データ作成工程
Ｓ６０２  データ送信工程
Ｓ６０４  データ受信工程
Ｓ６０６  データ表示工程
Ｓ６０８  応答判断工程
Ｓ６１０  画像切替工程
Ｓ６１２  通常切替工程
【図１】
2005309496.tif 000003
【図２】
2005309496.tif 000004
【図３】
2005309496.tif 000005
【図４Ａ】
2005309496.tif 000006
【図４Ｂ】
2005309496.tif 000007
【図４Ｃ】
2005309496.tif 000008
【図５】
2005309496.tif 000009
【図６】
2005309496.tif 000010
【図７】
2005309496.tif 000011
【図８】
2005309496.tif 000012
【図９】
2005309496.tif 000013
【図１０】
2005309496.tif 000014
【図１１】
2005309496.tif 000015
【図１２Ａ】
2005309496.tif 000016
【図１２Ｂ】
2005309496.tif 000017
【図１３】
2005309496.tif 000018
【図１４】
2005309496.tif 000019
【図１５】
2005309496.tif 000020
【図１６】
2005309496.tif 000021